(57)【特許請求の範囲】
【請求項１】
遊技盤の表面に、複数の入賞口を有する遊技部と、打球発射装置から発射された遊技球を前記遊技部内に案内するための内外一対のガイドレールとを設け、前記遊技部内に発射された遊技球が前記入賞口に入賞した場合に、遊技者に利益を付与する弾球遊技機において、
前記外側ガイドレールの球通過面の裏面側に設けられたガイドレール傾動部材と、前記ガイドレール傾動部材に接触して回転操作可能に配設され、前記遊技盤の表面に対する前記ガイドレール傾動部材の前後方向の位置を決定するための位置決定部材と、前記ガイドレール傾動部材を前記位置決定部材に向かって押し付ける方向に付勢するための付勢部材とからなり、前記遊技盤面に対する前記外側ガイドレールの傾斜角度を調節するための傾斜角度調節装置を設け、
前記ガイドレール傾動部材は、前記外側ガイドレールに所定範囲の長さで一体的に固着されるとともに、前記位置決定部材と対向する面に、前記遊技盤の表面に対して前後方向に移動して前記外側ガイドレールの傾斜角度が変更可能な一対の突出部を有し、
前記位置決定部材は、前記ガイドレール傾動部材の前記突出部との接触面に、前記一対の突出部がそれぞれ接触する対称位置の突出高さが回転移動に伴って同じになるように形成された一対の円弧状のテーパー部を有することを特徴とする弾球遊技機。
【請求項２】
前記傾斜角度調節装置は、前記打球発射装置の近傍に設けられていることを特徴とする請求項１記載の弾球遊技機。
【発明の詳細な説明】
【０００１】
【発明の属する技術分野】
本発明は、遊技部内に遊技球を発射して遊技を行う弾球遊技機に関し、特に、遊技球の発射軌道を修正するための装置を備えた弾球遊技機に関する。
【０００２】
【従来の技術】
従来より、この種の弾球遊技機として、パチンコ機が知られている。従来のパチンコ機は、遊技盤の表面に、複数の入賞口を有する遊技部と、打球発射装置により発射された遊技球を遊技部内に案内するための内外一対のガイドレールとを設けてあり、遊技部内に発射された遊技球が入賞口に入賞すると、所定数の賞球を払い出したり、通常遊技と比較して遊技者にとって有利な特別遊技を行わせたりしている。
【０００３】
また、従来の一般的なパチンコ機は、遊技盤と、打球発射装置を搭載した打球発射部とを別部材として製造し、組み付け工程において、遊技盤と打球発射部とを枠部材に取り付けて一体としている。
【０００４】
しかしながら、遊技盤と打球発射部とを組み付ける際に両者の表面がずれていると、打球発射部から発射された遊技球が遊技盤の表面や遊技盤の前面側を覆うガラス板に衝突してしまい、安定した打球発射を行うことができない。また、遊技球が遊技盤やガラス板に衝突すると、衝撃音が発生したり、遊技盤やガラス板が損傷してしまうおそれがある。
【０００５】
このため従来のパチンコ機では、遊技部内に発射される遊技球の発射角度を調節するための手段が設けられていた。
【０００６】
図６に基づいて、従来のパチンコ機に設けられている遊技球の発射角度を調節するための手段を説明する。
図６は、従来のパチンコ機に取り付けられている打球発射装置を示すもので、図６（Ａ）は打球発射装置の正面図、図６（Ｂ）は打球発射装置の平面図、図６（Ｃ）は、発射角度調節装置の拡大正面図である。
【０００７】
従来のパチンコ機に取り付けられている打球発射装置５１は、図６（Ａ）に示すように、取付基板５２に対して傾動可能に取り付けられており、ガイドレール（図示せず）に連通して設けられた打球案内部５３に向かって遊技球を弾発するための弾発部材５４と、この弾発部材５４に連結されたプランジャ式ソレノイド５５とを主な構成部材としている。この打球発射装置５１では、打球発射部５６に１個ずつ遊技球が供給され、プランジャ式ソレノイド５５の駆動により弾発部材５４が作動して、打球発射部５６の遊技球を打球案内部５３に向かって弾発する。
【０００８】
また、この打球発射装置５１には、遊技盤表面に対する打球発射装置５１の取り付け角度を調節するための発射角度調節装置５７が設けられている。この発射角度調節装置５７は、図６（Ａ）〜（Ｃ）に示すように、取付基板５２と打球発射装置５１との間に回動可能に取り付けられた調節部材５８を備えている。また、詳細には図示しないが、調節部材５８には、その表面側にテーパー部が設けられており、このテーパー部を介して打球発射装置５１の右上隅部と接触している。そして、調節部材５８を回動させることにより、打球発射装置５１の右上隅部と取付基板５２との距離が変化し、遊技盤表面に対する打球発射装置５１の取り付け角度を調節することができる。
【０００９】
また、打球の発射角度を調節するための他の方法として、鉄製のガイドレールを遊技盤に取り付けるための圧入ピンを屈曲させることにより、遊技盤表面に対するガイドレールの角度を傾けることも行われていた。
【００１０】
【発明が解決しようとする課題】
しかし、上述した従来のパチンコ機では、遊技盤と打球発射部との組み付け誤差が小さい場合には、遊技球の発射角度の誤差を吸収することはできるが、遊技球の発射位置をずらすことにより発射角度を調節しているため、案内部からガイドレールに至った後の遊技球の発射方向を調節することができずに、所望の角度で遊技球を発射することができない場合もあった。特に、遊技盤と打球発射部との組み付け誤差が大きい場合には、遊技球の発射方向を調節することが難しかった。
【００１１】
また、圧入ピンを屈曲させることにより、遊技盤表面に対するガイドレールの角度を調節する方法は、組み付け段階において遊技球の発射方向を見極めるための熟練した技術が必要であるとともに、調節作業が面倒であるという問題があった。さらに、このような方法では、圧入ピンを曲げすぎて折ってしまったり、ハンマー等の工具によりガイドレールを傷つけてしまうという問題もあった。
【００１２】
本発明は、上述した事情に鑑み提案されたもので、遊技盤と打球発射部との組み付け誤差から生じる遊技球の発射方向のばらつきを容易に調節できるようにして、安定した遊技球の発射動作を行うことができる弾球遊技機を提供することを目的とする。
【００１３】
【課題を解決するための手段】
本発明は、上述した目的を達成するため、以下の特徴点を備えている。
すなわち、本発明に係る弾球遊技機は、遊技盤の表面に、複数の入賞口を有する遊技部と、打球発射装置から発射された遊技球を前記遊技部内に案内するための内外一対のガイドレールとを設け、前記遊技部内に発射された遊技球が前記入賞口に入賞した場合に、遊技者に利益を付与する弾球遊技機において、
前記外側ガイドレールの球通過面の裏面側に設けられたガイドレール傾動部材と、前記ガイドレール傾動部材に接触して回転操作可能に配設され、前記遊技盤の表面に対する前記ガイドレール傾動部材の前後方向の位置を決定するための位置決定部材と、前記ガイドレール傾動部材を前記位置決定部材に向かって押し付ける方向に付勢するための付勢部材とからなり、前記遊技盤面に対する前記外側ガイドレールの傾斜角度を調節するための傾斜角度調節装置を設け、
前記ガイドレール傾動部材は、前記外側ガイドレールに所定範囲の長さで一体的に固着されるとともに、前記位置決定部材と対向する面に、前記遊技盤の表面に対して前後方向に移動して前記外側ガイドレールの傾斜角度が変更可能な一対の突出部を有し、
前記位置決定部材は、前記ガイドレール傾動部材の前記突出部との接触面に、前記一対の突出部がそれぞれ接触する対称位置の突出高さが回転移動に伴って同じになるように形成された一対の円弧状のテーパー部を有することを特徴とするものである。
【００１４】
また、前記傾斜角度調節装置は、前記打球発射装置の近傍に設けられていることを特徴とするものである。
【００１５】
【発明の実施の形態】
以下、図面に基づいて、本発明に係る弾球遊技機の一実施形態を説明する。なお、以下の説明では、代表的な弾球遊技機としてパチンコ機を例にとって説明を行う。
【００１６】
＜遊技盤＞
本発明の一実施形態に係るパチンコ機は、図５に示すように、遊技球を発射して遊技を行うための遊技盤１を備えている。この遊技盤１の表面には、打球発射装置（図示せず）により発射された遊技球を遊技部２内に案内するための内外一対のガイドレール３ａ，ｂと、液晶ディスプレイ等からなる可変表示装置４と、一般入賞口５ａ、大入賞口５ｂ、始動入賞口５ｃ等の複数の入賞口と、障害釘６や風車７等の複数の障害部材と、いずれの入賞口（５ａ，５ｂ，５ｃ等）にも入賞しなかった遊技球を遊技盤１の裏面側に導くためのアウト口８等が設けられている。また、遊技部２の外側に位置する遊技盤１の表面には、装飾ランプ等の装飾部材９が設けられている。なお、本実施形態では、遊技盤１は合成樹脂により一体成型されており、ガイドレール３ａ，ｂも合成樹脂により形成されている。
【００１７】
このパチンコ機では、遊技部２内に発射された遊技球が入賞口（５ａ，５ｂ，５ｃ等）に入賞すると、賞として所定数の遊技球を払い出したり、通常遊技と比較して遊技者にとって有利な特別遊技を行わせたりする。
【００１８】
また、図示しないが、遊技部２内に遊技球を発射するための打球発射装置は、例えば、外側ガイドレール３ｂに連通して設けられた打球案内部に向かって遊技球を弾発するための弾発部材と、この弾発部材に連結されたプランジャ式ソレノイドとを主な構成部材としている。この打球発射装置は、遊技盤１とは別部材の打球発射部に搭載されており、この打球発射部を遊技盤１の下部に組み付けることにより両者を一体としている。
【００１９】
ところで、遊技盤１と打球発射部とを組み付ける際に、微妙な組み付け誤差が生じる場合があり、このような組み付け誤差が生じた場合には、遊技球の発射軌道を修正する必要がある。このため、遊技盤１に対する外側ガイドレール３ｂの傾斜角度を調節することにより、遊技球の発射軌跡を修正するための傾斜角度調節装置１０を取り付けている。
【００２０】
＜傾斜角度調節装置＞
この傾斜角度調節装置１０は、図１に示すように、外側ガイドレール３ｂの球通過面の裏面側に設けられ、遊技盤１に対して前後方向に移動可能なガイドレール傾動部材１１と、ガイドレール傾動部材１１に接触して配設されて、遊技盤１に対するガイドレール傾動部材１１の前後方向の位置を決定するための位置決定部材１３と、ガイドレール傾動部材１１を位置決定部材１３に向かって押し付ける方向に付勢するためのコイルバネ１２と、を備えている。
【００２１】
なお、図１に示す実施形態では、位置決定部材１３は遊技盤１にはめ込まれた保持部材に保持されており、ガイドレール傾動部材１１は位置決定部材１３の前面側に配設されているが、ガイドレール傾動部材１１および位置決定部材１３の配設位置はこれに限定されるものではない。すなわち、位置決定部材１３はガイドレール傾動部材１１の傾動位置を決定できればどのような位置に配設されていてもよく、例えば、ガイドレール傾動部材１１の前面側に位置決定部材１３を配設してもよい。
【００２２】
また、傾斜角度調整部材１０を取り付ける位置は、図１に示す位置に限定されず、遊技部２に至るまでの外側レール３ｂであれば、どのような位置に取り付けてもよいが、打球発射装置の近傍に傾斜角度調整部材１０を取り付けることにより、より安定した遊技球の発射動作を行うことができる。
【００２３】
＜ガイドレール傾動部材＞
前記ガイドレール傾動部材１１は、図１（Ｂ）に示すように、合成樹脂により成型された外側ガイドレール３ｂの球通過面の裏面側に、外側ガイドレール３ｂと一体となるように成型された略３角形状の部材で、表面側にコイルバネ１２を収容するための凹部１４を形成し、凹部１４のほぼ中央に支柱１６を挿通するための支柱挿通孔１５を設けている。支柱１６は、遊技盤１の表面側にコイルバネ１２および位置決定部材１３を取り付けるための部材で、遊技盤１の表面から外方に向かって突出して設けられており、その先端部には、ネジ１７を取り付けるためのネジ穴（図示せず）を設けている。
【００２４】
また、ガイドレール傾動部材１１の裏面側（遊技盤１の表面に対向する側）には、位置決定部材１３に向かって一対の突出部１８，１８を設けている。
このガイドレール傾動部材１１にコイルバネ１２を取り付けるには、凹部１４内の支柱１６にコイルバネ１２を被せ、コイルバネ１２の先端部にワッシャ１９を位置させて、ネジ１７によりワッシャ１９を支柱１６の先端部に固定する。ガイドレール傾動部材１１は、コイルバネ１２の付勢力により、遊技盤１に向かって押し付ける方向に付勢される。なお、この付勢部材は、コイルバネ１２に限られず、板バネ、あるいは他の弾性部材であってもよい。
【００２５】
＜位置決定部材＞
前記位置決定部材１３は、図２に示すように、略円形の基板２０を備えており、基板２０のほぼ中央に、前述した支柱１６を挿通するための支柱挿通孔２１を設けるとともに、基板２０の表面側（ガイドレール傾動部材１１に対向する側）の支柱挿通孔２１の外周部に、略円弧状をなす一対のテーパー部２２，２２を設けている。この一対のテーパー部２２，２２は、支柱挿通孔２１を挟んで対称となる位置の突出高さがほぼ同様となるように形成されており、上述したガイドレール傾動部材１１に設けた一対の突出部１８，１８の先端が、それぞれテーパー面に突き当たって接触するようになっている。
【００２６】
また、位置決定部材１３の表面側には、位置決定部材１３の回動操作を行うための操作つまみ２３を設けている。
この位置決定部材１３は、支柱挿通孔２１内に支柱１６を挿通することにより、遊技盤１に対して回動可能に取り付けられている。
【００２７】
＜遊技球の発射角度の調節＞
次に、図１，３，４を用いて、遊技球の発射角度を調節する方法を説明する。
上述したように、外側ガイドレール３ｂの球通過面の裏面側に設けられたガイドレール傾動部材１１は、コイルバネ１２の付勢力により遊技盤１の表面に向かって付勢されている。したがって、ガイドレール傾動部材１１の裏面側（遊技盤１の表面に対向する面）に設けられた一対の突出部１８，１８は、それぞれ位置決定部材１３の表面側に設けられたテーパー部２２，２２のテーパー面に押し付けられた状態となっている。そして、位置決定部材１３の操作つまみ２３を操作して位置決定部材１３を回動させると、テーパー部２２の突出高さだけガイドレール傾動部材１１が遊技盤１から離れる方向に押し出され、ガイドレール傾動部材１１に連結された外側ガイドレール３ｂが傾動して、遊技盤１の表面に対する角度を調節することができる。
【００２８】
遊技盤１の表面には、図３（Ａ），４（Ａ）に示すように、位置決定部材１３の基準回動位置を指示するための基準マーク２４が付されている。本実施形態では、この基準マーク２４の位置に操作つまみ２３を合わせた場合に、遊技盤１の表面に対して外側ガイドレール３ｂがほぼ垂直となるように設定されている（図１に示す状態）。したがって、基準マーク２４の位置に操作つまみ２３を合わせると、遊技球２５は、図１（Ｂ）中の矢印で示すように、遊技盤１の表面に対してほぼ平行に導かれる。
【００２９】
また、基準マーク２４の位置から上方側に操作つまみ２３を回動させると、遊技盤１の表面に対して外側ガイドレール３ｂが内側に向かって傾く（図３（Ｂ）に示す状態）。したがって、基準マーク２４の位置から上方側に操作つまみ２３を回動させると、遊技球２５は、図３（Ｂ）中の矢印で示すように、遊技盤１の表面に対して内側に傾斜して導かれる。本実施形態では、図３（Ａ）に示すように、基準マーク２４から操作つまみ２３を上側に約６０°回動させた場合に、図３（Ｂ）に示すように、遊技盤１の表面に対して外側ガイドレール３ｂが約５°内側に向かって傾くように設定されている。
【００３０】
また、基準マーク２４の位置から下方側に操作つまみ２３を回動させると、遊技盤１の表面に対して外側ガイドレール３ｂが下側に向かって傾く（図４（Ｂ）に示す状態）。したがって、基準マーク２４の位置から下方側に操作つまみ２３を回動させると、遊技球２５は、図４（Ｂ）中の矢印で示すように、遊技盤１の表面に対して外側に傾斜して導かれる。本実施形態では、図４（Ａ）に示すように、基準マーク２４から操作つまみ２３を下側に約６０°回動させた場合に、図４（Ｂ）に示すように、遊技盤１の表面に対して外側ガイドレール３ｂが約５°外側に向かって傾くように設定されている。
【００３１】
このように、操作つまみ２３を操作して位置決定部材１３を回動させることにより、テーパー部２２の突出高さの範囲内でガイドレール傾動部材１１を傾動させて、遊技盤１の表面に対する外側ガイドレール３ｂの傾斜角度を調節することができる。
【００３２】
なお、上述した実施形態では、代表的な遊技機としてパチンコ機を例にとって説明を行ったが、本発明は、アレンジボール遊技機、雀球遊技機等の他の弾球遊技機に対しても適用することができる。
【００３３】
【発明の効果】
本発明に係る弾球遊技機は、遊技盤表面に設けた遊技部内に遊技球を導くための外側ガイドレールに、遊技盤面に対する外側ガドレールの傾斜角度を調節するための傾斜角度調節装置を設けているため、遊技盤と打球発射部との組み付け誤差から生じる遊技球の発射方向のばらつきを容易に調節することができる。このため、安定した遊技球の発射動作が可能となり、ガラス板等の損傷を防止することができるとともに、快適な遊技環境を提供することができる。
【００３４】
また、本発明に係る弾球遊技機は、傾斜角度調節装置を打球発射装置近傍の外側ガイドレールに設けているため、打球の発射勢が未だ衰えていない位置において、遊技球の発射方向を調節することができ、さらに安定した遊技球の発射動作を行うことが可能となる。
【図面の簡単な説明】
【図１】傾斜角度調節装置（基準位置）の正面図（Ａ）および縦断面図（Ｂ）
【図２】位置決定部材の斜視図
【図３】外側ガイドレールの傾斜角度調節を説明するための傾斜角度調節装置の正面図（Ａ）および縦断面図（Ｂ）
【図４】外側ガイドレールの傾斜角度調節を説明するための傾斜角度調節装置の正面図（Ａ）および縦断面図（Ｂ）
【図５】本発明の一実施形態に係るパチンコ機の遊技盤の正面図
【図６】従来の打球発射装置の正面図（Ａ）、打球発射装置の平面図（Ｂ）、発射角度調節装置の拡大正面図（Ｃ）
【符号の説明】
１  遊技盤
２  遊技部
３ａ  内側ガイドレール
３ｂ  外側ガイドレール
４  可変表示装置
５ａ  一般入賞口
５ｂ  大入賞口
５ｃ  始動入賞口
６  障害釘
７  風車
８  アウト口
９  装飾部材
１０  傾斜角度調節装置
１１  ガイドレール傾動部材
１２  コイルバネ
１３  位置決定部材
１４  凹部
１５  支柱挿通孔
１６  支柱
１７  ネジ
１８  突出部
１９  ワッシャ
２０  基板
２１  支柱挿通孔
２２  テーパー部
２３  操作つまみ
２４  基準マーク
２５  遊技球
５１  従来の打球発射装置
５２  取付基板
５３  打球案内部
５４  弾発部材
５５  プランジャ式ソレノイド
５６  打球発射部
５７  発射角度調節装置
５８  調節部材
【図１】
0004475612.tif 000002
【図２】
0004475612.tif 000003
【図３】
0004475612.tif 000004
【図４】
0004475612.tif 000005
【図５】
0004475612.tif 000006
【図６】
0004475612.tif 000007